(57)【要約】【課題】高い光学性能を保ちつつ観察倍率を大きくしながら、アイポイントを長く確保することのできるファインダーを提供すること。【解決手段】撮影レンズにより所定面に形成した物体像を観察するファインダー光学系において、該所定面側から順に、正の屈折力のコンデンサレンズ、反転光学系、正の屈折力の第１レンズ、負の屈折力の第２レンズ、正の屈折力の第３レンズ、正の屈折力の第４レンズ、負の屈折力の第５レンズから構成されることを特徴とする。【選択図】図１
2016191760.tif 000002
【特許請求の範囲】
【請求項１】
撮影レンズにより所定面に形成した物体像を観察するファインダー光学系において、
該所定面側から順に、正の屈折力のコンデンサレンズ、
反転光学系、
正の屈折力の第１レンズ、
負の屈折力の第２レンズ、
正の屈折力の第３レンズ
正の屈折力の第４レンズ
負の屈折力の第５レンズから構成されることを特徴とするファインダー光学系。
【請求項２】
前記請求項１い記載のファインダー光学系において、下記の条件式を満足することを特徴とするファインダー光学系。
Ｋ：−２．０＜ｆ１２／ｆ＜−０．９    ・・（１）
Ｌ：−０．４５＜ｆ５／ｆ＜−０．３    ・・（２）
ここで、ｆはファインダー系全系の焦点距離、ｆ１２は前記第１レンズと第２レンズの合成焦点距離、ｆ５は第５レンズの焦点距離を表す。
【請求項３】
前記請求項１に記載のファインダー光学系において、下記の条件式を満足することを特徴とするファインダー光学系。
Ｎ：νｄ１＞５４    ・・（３）
Ｏ：νｄ２＜３０    ・・（４）
ここで、νｄ１は第１レンズのアッべ数、νｄ２は第２レンズのアッべ数を表す。
【請求項４】
前記請求項１に記載のファインダー光学系において、
正の屈折力の第１レンズと負の屈折力の第２レンズは接合レンズであることを特徴とするファインダー光学系。
【請求項５】
前記請求項１に記載のファインダー光学系において、下記の条件式を満足することを特徴とするファインダー光学系。
Ｎｄ４＞１．８０    ・・（５）
Ｎｄ５＜１．５５    ・・（６）
ここで、Ｎｄ４は第４レンズのｄ線での屈折率、Ｎｄ５は第４レンズのｄ線での屈折率を表す。
【発明の詳細な説明】
【技術分野】
【０００１】
本発明は、ファインダー光学系に関し、特に一眼レフカメラ等に好適なファインダー光学系に関する。
【背景技術】
【０００２】
一眼レフカメラ用のファインダー光学系ではペンタプリズムの大きさに依存する焦点板から接眼レンズまでの光路長によって、ファインダーの観察倍率や接眼レンズから観察者の瞳孔までの距離（以後、アイポイントと記す。）等のファインダーの仕様が決定されている。
【０００３】
このような一眼レフカメラのファインダー光学系（以下「ファインダー」ともいう。）において、ファインダーの観察倍率を大きくしようとしたものや、アイポイントを十分に長くしようとしたものが従来より各種提案されている。
【０００４】
特許文献１では、所定面側から順に負の屈折力の第１群、正の屈折力の第２群、正又は負の屈折力の第３群の３つのレンズ群を有し、前記第３レンズ群を正レンズ１枚と負レンズ１枚とする構成が開示されている。
【０００５】
また、特許文献２では、所定面側から順に第１群、正の屈折力の第２群、第３群を有し、全てのレンズが所定面側に凸面を向けたメニスカスレンズとする構成が開示されている。
【先行技術文献】
【特許文献】
【０００６】
【特許文献１】特開平９−３２９７５２号公報
【特許文献２】特開２００５−２８４０３９号公報
【発明の概要】
【発明が解決しようとする課題】
【０００７】
しかしながら、上述の特許文献に開示された従来技術では、接眼レンズの焦点距離が６５ｍｍ前後であり、焦点距離が５０ｍｍの標準レンズを撮影レンズとして装着した時のファインダー倍率としては０．７５倍程度となる。
【０００８】
そこで、本発明の例示的な目的は、高い光学性能を保ちつつ観察倍率を大きくしながらも、アイポイントを長く確保することのできるファインダーを提供することにある。
【課題を解決するための手段】
【０００９】
上記の目的を達成するために、本発明は、撮影レンズにより所定面に形成した物体像を観察するファインダー光学系において、該所定面側から順に、正の屈折力のコンデンサレンズ、反転光学系、正の屈折力の第１レンズ、負の屈折力の第２レンズ、正の屈折力の第３レンズ、正の屈折力の第４レンズ、負の屈折力の第５レンズにより構成されることを特徴とする。
【発明の効果】
【００１０】
本発明によれば、高い光学性能を保ちつつ観察倍率を大きくしながらも、アイポイントを長く確保することのできるファインダーを提供することができる。
【図面の簡単な説明】
【００１１】
【図１】本発明のファインダー光学系を一眼レフカメラに適用したときの要部断面図
【図２】本発明の数値実施例１の光学要素の光路を展開した断面図
【図３】本発明の数値実施例１の収差図
【図４】本発明の数値実施例２の光学要素の光路を展開した断面図
【図５】本発明の数値実施例２の収差図
【図６】本発明の数値実施例３の光学要素の光路を展開した断面図
【図７】本発明の数値実施例３の収差図
【図８】本発明の数値実施例４の光学要素の光路を展開した断面図
【図９】本発明の数値実施例４の収差図
【図１０】本発明の数値実施例５の光学要素の光路を展開した断面図
【図１１】本発明の数値実施例５の収差図
【発明を実施するための形態】
【００１２】
以下、本発明を実施するための形態を図面に基づいて説明する。
【００１３】
図１は本発明のファインダー光学系を一眼レフカメラに適用したときの要部断面図である。図２，図３は本発明の数値実施例１の光学要素の光路を展開した断面図と収差図である。図４，図５は本発明の数値実施例２の光学要素の光路を展開した断面図と収差図である。図６，図７は本発明の数値実施例３の光学要素の光路を展開した断面図と収差図である。図８，図９は本発明の数値実施例４の光学要素の光路を展開した断面図と収差図である。図１０，図１１は本発明の数値実施例４の光学要素の光路を展開した断面図と収差図である。
【００１４】
断面図と収差図においてはファインダー視度が−１ディオプトリー（標準視度）のときを示している。
【００１５】
収差図において、球面収差はアイポイント位置での瞳径φ１０ｍｍでの収差図を表している。非点収差、歪曲収差、色収差は焦点板上での最大像高を２１．１ｍｍとしている。色収差はｆ線（波長４８６.１３ｎｍ）での色収差を表している。
【００１６】
図１において、１は撮影レンズ、２はクイックリターンミラー、３は焦点板であり撮影レンズ１による物体像が形成されている。４は透過型液晶、５はコンデンサーレンズ、６は正立像形成部材としてのペンタダハプリズムであり、焦点板３上の物体像を正立正像としている。７は接眼レンズである。８はアイポイントの位置を表している。
【００１７】
本実施形態におけるファインダー光学系は撮影レンズ１による被写体像をクイックリターンミラー２で反射させて焦点板３上に形成している。そして焦点板３に形成したファインダー像をペンタダハプリズム６で正立像として接眼レンズ７を介してアイポイント８より観察している。
【００１８】
本発明に係る接眼レンズ７は正の屈折力の第１レンズ７ａ、負の屈折力の第２レンズ７ｂ、正の屈折力の第３レンズ７ｃ、正の屈折力の第４レンズ７ｄ、負の屈折力の第５レンズ７ｅからなっていることを基本構成としている。そして、前記正の第３レンズ７ｃを接眼レンズの光軸に沿って移動することで視度調節を行っている。
【００１９】
上記、正の屈折力の第１レンズを最も所定面側に配置することで、接眼レンズ全系の所定面側の主点位置を所定面側に近づける事が可能となり、高い観察倍率を得る事が可能となる。
【００２０】
また上記構成において、下記条件式を満足することで、高い光学性能を保ちつつ観察倍率を大きくしながらも、アイポイントを長く確保することが可能となる。
【００２１】
−２．０＜ｆ１２／ｆ＜−０．９    ・・（１）
−０．４５＜ｆ５／ｆ＜−０．３    ・・（２）
ここで、ｆはファインダー系全系の焦点距離、ｆ１２は前記第１レンズと第２レンズの合成焦点距離、ｆ５は第５レンズの焦点距離を表す
次に前述の各条件式の技術的意味について説明する。
【００２２】
条件式（１）は上述した高い観察倍率を実現しながら、十分なアイポイントを確保する為の条件である。条件式の下限を超えると、前記第１レンズと第２レンズの合成焦点距離が長くなりすぎてしまい、十分なアイポイントが確保できなくなる。一方、上限を超えて前記第１レンズと第２レンズの合成焦点距離が短くなりすぎると、接眼レンズの主点位置が所定面から遠ざかってしまい、高い観察倍率を実現することが困難になる。
【００２３】
条件式（２）は上述した高い光学性能を保ちつつ高い観察倍率を実現しながら、十分なアイポイントを確保する為の条件である。条件式の下限を超えると、第５レンズの焦点距離が長くなりすぎてしまい、十分なアイポイントが確保できなくなると共に球面収差の補正が困難となる。一方、上限を超えて第５レンズの焦点距離を短くしすぎると、接眼レンズの主点位置が焦点板から遠ざかってしまい、高い観察倍率を実現することが困難になると共に、コマ収差、非点収差の補正が困難となる。
【００２４】
また、上記正の屈折力の第１レンズと負の屈折力の第２レンズは接合レンズとし、下記条件式を満足することで、色収差を良好に補正することが可能となる。
νｄ１＞５４  ・・・（３）
νｄ２＜３０  ・・・（４）
さらに、下記の条件式を満足することを特徴としている。
Ｎｄ４＞１．８０    ・・（５）
Ｎｄ５＜１．５５    ・・（６）
ここで、Ｎｄ４は第４レンズのｄ線での屈折率、Ｎｄ５は第４レンズのｄ線での屈折率を表す。
【００２５】
条件式（５）、（６）は像面湾曲を良好に補正する為の条件式であり、第４レンズの屈折率を高くし、第５レンズの屈折率を低くすることで、ペッツバール和を小さくすることが可能となる。色収差補正の為には第４レンズを低分散、第５レンズの高分散とすることが望ましいが、本発明では前記第１、第２レンズによる色収差補正効果によって、第４レンズが高分散、第５レンズが低分散でもファインダー全系での色収差を補正することが可能となる。その為、第４レンズを高屈折率、第５レンズを低屈折率として像面湾曲を良好に補正することが可能となる。
【００２６】
以下に、本発明の実施の形態を添付の図面に基づいて詳細に説明する。数値実施例においてｒiは焦点板側より順に第i番目のレンズ面の曲率半径、ｄiは焦点板側よりi番目のレンズ厚及び空気間隔、Niとνiは各々焦点板がわより順に第i番目のレンズのガラスの屈折率とアッベ数である。
【００２７】
なお、各数値実施例において＊印は非球面を表しており、非球面形状は光軸方向にＸ軸、光軸と垂直方向にＹ軸、光の進行方向を正とし近軸曲率半径をＲ、円錐係数をＫ、４次の非球面係数をＢ、６次の非球面係数をＣ、８次の非球面係数をＤ、１０次の非球面係数をＥとしたとき、
【００２８】
【数１】
2016191760.tif 000003
【００２９】
によって定義されるものである。また、「e-0X」の表示は「10-X」を意味している。
【００３０】
また、各数値実施例のファインダー光学系を実現した際のファインダー倍率とアイポイントの概略の計算結果を示す。ファインダー倍率は焦点距離が５０ｍｍの標準レンズを撮影レンズとして装着したときのアフォーカル系の角倍率で表すことができ、ここでは近似的に撮影レンズの焦点距離とファインダー光学系の焦点距離の比で表している。
【００３１】
また、前述の条件式と数値実施例における諸数値との関係を表１に示す。
【実施例１】
【００３２】
以下、図２を参照して、本発明の第１の実施例によるファインダー光学系について説明する。ファインダー光学系は前記焦点板側から順にコンデンサーレンズ、ペンタダハプリズム、正の屈折力の第１レンズ、負の屈折力の第２レンズ、正の屈折力の第３レンズ、正の屈折力の第４レンズと負の屈折力の第５レンズから構成されている。また、図３は第１実施例の収差図を表している。
単位 mm
面データ
面番号       r        d      nd         vd
1          ∞       0.98                             
2          ∞       1.40   1.51633    64.1           
3          ∞       3.00                             
4       -131.940    4.60   1.71300    53.9           
5        -57.150    0.67                             
6          ∞     115.85   1.65844    50.9           
7          ∞       0.50                             
8          ∞       4.89   1.60311    60.6           
9        -31.343    1.15   1.80809    22.8           
10        132.668  (可変)                             
11*        44.967    5.24   1.74100    52.6           
12        -66.331  (可変)                             
13*        29.773    7.84   1.85026    32.3           
14       1088.687    2.83                             
15        -59.047    0.90   1.48749    70.2           
16*        13.347  (可変)                             
17  (アイポイント)
非球面データ
第11面
K = 0.00000e+000  A 4=-3.28843e-006  A 6= 9.56700e-009  A 8=-3.54124e-011  A10= 4.51620e-014  
第13面
K = 0.00000e+000  A 4=-1.04029e-006  A 6=-1.72871e-008  A 8= 9.34213e-011  A10=-1.43037e-013  
第16面
K = 0.00000e+000  A 4=-3.12905e-005  A 6=-1.62806e-007  A 8= 1.33748e-009  A10=-1.65375e-011
各種データ
視度           −１     −３    ＋１
焦点距離      63.56    62.25    64.98  
アイポイント   20.0     20.0     20.0  
d 7            3.08     0.75     5.52  
d 9            2.96     5.29     0.52  
倍率           0.79     0.80     0.77
【実施例２】
【００３３】
以下、図４を参照して、本発明の第１の実施例によるファインダー光学系について説明する。ファインダー光学系は前記焦点板側から順にコンデンサーレンズ、ペンタダハプリズム、正の屈折力の第１レンズ、負の屈折力の第２レンズ、正の屈折力の第３レンズ、正の屈折力の第４レンズと負の屈折力の第５レンズから構成されている。また、図５は第１実施例の収差図を表している。
単位 mm
面データ
面番号       r        d      nd         vd
1          ∞       0.98                             
2          ∞       1.40   1.51633    64.1           
3          ∞       3.00                             
4       -131.940    4.60   1.71300    53.9           
5        -57.150    0.67                             
6          ∞     119.46   1.51633    64.1           
7          ∞       0.50                             
8       1703.033    5.68   1.61272    58.7           
9        -27.630    1.15   1.80518    25.4           
10         90.102  (可変)                             
11*        36.064    6.09   1.77250    49.6           
12        -59.171  (可変)                             
13*        40.684   12.52   1.84666    23.8           
14        198.549    2.61                             
15        -88.306    0.90   1.51633    64.1           
16*        15.206  (可変)                             
17  (アイポイント)
非球面データ
第11面
K = 0.00000e+000  A 4=-7.07329e-006  A 6= 1.62364e-008  A 8=-5.23663e-011  A10= 5.55885e-014  
第13面
K = 0.00000e+000  A 4= 2.22270e-006  A 6=-3.16096e-008  A 8= 9.87759e-011  A10=-1.36008e-013  
第16面
K = 0.00000e+000  A 4=-5.18729e-006  A 6=-1.74185e-007  A 8= 1.20661e-009  A10=-8.67835e-012  
各種データ
視度           −１     −３    ＋１
焦点距離      64.22    62.32    66.39  
アイポイント   20.0     20.0     20.0  
d 7            2.34     0.45     4.39
d 9            2.56     4.45     0.50
倍率           0.78     0.80     0.75
【実施例３】
【００３４】
以下、図６を参照して、本発明の第１の実施例によるファインダー光学系について説明する。ファインダー光学系は前記焦点板側から順にコンデンサーレンズ、ペンタダハプリズム、正の屈折力の第１レンズ、負の屈折力の第２レンズ、正の屈折力の第３レンズ、正の屈折力の第４レンズと負の屈折力の第５レンズから構成されている。また、図7は第１実施例の収差図を表している。
単位 mm
面データ
面番号       r        d      nd         vd
1          ∞       0.98                             
2          ∞       1.40   1.51633    64.1           
3          ∞       3.00                             
4       -131.940    4.60   1.71300    53.9           
5        -57.150    0.67                             
6          ∞     119.46   1.65844    50.9           
7          ∞       0.50                             
8        480.487    6.95   1.60311    60.6           
9        -26.574    1.15   1.80518    25.4           
10        113.931  (可変)                             
11*        42.698    6.09   1.80400    46.6           
12        -63.390  (可変)                             
13*        44.920   12.71   1.84666    23.8           
14        662.115    1.80                             
15       -125.472    1.01   1.53996    59.5           
16*        17.025  (可変)                             
17  (アイポイント)
非球面データ
第11面
K = 0.00000e+000  A 4=-4.50201e-006  A 6= 1.22179e-008  A 8=-3.67287e-011  A10= 3.93399e-014  
第13面
K = 0.00000e+000  A 4= 1.67197e-006  A 6=-3.87700e-008  A 8= 1.49369e-010  A10=-2.55572e-013  
第16面
K = 0.00000e+000  A 4= 2.60961e-006  A 6=-3.70518e-007  A 8= 4.67431e-009  A10=-2.44027e-011  
各種データ
視度           −１     −３    ＋１
焦点距離      63.63     61.66     65.91
アイポイント   20.0     20.0     20.0  
d 7            2.71     0.45     5.19
d 9            4.27     6.53     1.79  
倍率           0.79     0.81     0.76
【実施例４】
【００３５】
以下、図８を参照して、本発明の第１の実施例によるファインダー光学系について説明する。ファインダー光学系は前記焦点板側から順にコンデンサーレンズ、ペンタダハプリズム、正の屈折力の第１レンズ、負の屈折力の第２レンズ、正の屈折力の第３レンズ、正の屈折力の第４レンズと負の屈折力の第５レンズから構成されている。また、図９は第１実施例の収差図を表している。
単位 mm
単位 mm
面データ
面番号       r        d      nd         vd
1          ∞       0.98                             
2          ∞       1.40   1.51633    64.1           
3          ∞       3.00                             
4       -131.940    4.60   1.71300    53.9           
5        -57.150    0.67                             
6          ∞     119.46   1.65844    50.9           
7          ∞       0.57                             
8      -2217.247    5.81   1.69680    55.5           
9        -29.588    1.15   1.84666    23.8           
10        136.777  (可変)                             
11*        46.091    5.46   1.83481    42.7           
12        -75.153  (可変)                             
13*        42.135   14.15   1.85026    32.3           
14       -102.615    1.12                             
15        -70.681    0.90   1.53996    59.5           
16*        13.244  (可変)                             
17  (アイポイント)
非球面データ
第11面
K = 0.00000e+000  A 4=-3.66826e-006  A 6= 7.14279e-009  A 8=-2.05411e-011  A10= 2.14773e-014  
第13面
K = 0.00000e+000  A 4=-4.44110e-006  A 6=-1.55932e-008  A 8= 4.31396e-011  A10=-6.45432e-014  
第16面
K = 0.00000e+000  A 4=-4.37069e-005  A 6=-9.22035e-008  A 8=-1.63159e-009  A10=-2.29139e-012
各種データ
視度           −１     −３    ＋１
焦点距離      62.43     60.18     65.09
アイポイント   20.0     20.0     20.0  
d 7            3.36     0.78     6.20
d 9            3.34     5.92     0.50
倍率           0.80     0.83     0.77
【実施例５】
【００３６】
以下、図１０を参照して、本発明の第１の実施例によるファインダー光学系について説明する。ファインダー光学系は前記焦点板側から順にコンデンサーレンズ、ペンタダハプリズム、正の屈折力の第１レンズ、負の屈折力の第２レンズ、正の屈折力の第３レンズ、正の屈折力の第４レンズと負の屈折力の第５レンズから構成されている。また、図１１は第１実施例の収差図を表している。
単位 mm
面データ
面番号       r        d      nd         vd
1          ∞       0.98                             
2          ∞       1.40   1.51633    64.1           
3          ∞       3.00                             
4       -131.940    4.60   1.71300    53.9           
5        -57.150    0.67                             
6          ∞     124.18   1.65844    50.9           
7          ∞       0.50                             
8        666.553    6.65   1.72916    54.7           
9        -30.390    1.15   1.84666    23.8           
10        145.440  (可変)                             
11*        50.576    5.24   1.83481    42.7           
12       -101.882  (可変)                             
13*        41.451   14.88   1.85026    32.3           
14       -141.544    1.79                             
15        -67.628    1.50   1.51633    64.1           
16*        13.610  (可変)                             
17  (アイポイント)
非球面データ
第11面
K = 0.00000e+000  A 4=-2.28088e-006  A 6= 4.48246e-009  A 8=-1.06544e-011  A10= 9.47414e-015  
第13面
K = 0.00000e+000  A 4=-2.31003e-006  A 6=-7.09477e-009  A 8= 1.74523e-011  A10=-2.40682e-014  
第16面
K = 0.00000e+000  A 4=-3.82883e-005  A 6= 1.05149e-007  A 8=-3.17987e-009  A10= 6.90230e-012  
各種データ
視度           −１     −３    ＋１
焦点距離      61.30     58.73     64.32
アイポイント   20.0     20.0     20.0  
d 7            3.55     0.45     6.96
d 9            3.90     7.01     0.50
倍率           0.82     0.85     0.78
以下の表１に本実施例１から４の条件式（１）から（４）に対応する値を示す。
【００３７】
【表１】
2016191760.tif 000004
【００３８】
以上、本発明の好ましい実施形態について説明したが、本発明はこれらの実施形態に限定されず、その要旨の範囲内で種々の変形及び変更が可能である。
【符号の説明】
【００３９】
１  撮影レンズ、２  クイックリターンミラー、３  焦点板、４  透過型液晶、
５  コンデンサーレンズ、６  ペンタダハプリズム、７  接眼レンズ、８  アイポイント
【図１】
2016191760.tif 000005
【図２】
2016191760.tif 000006
【図３】
2016191760.tif 000007
【図４】
2016191760.tif 000008
【図５】
2016191760.tif 000009
【図６】
2016191760.tif 000010
【図７】
2016191760.tif 000011
【図８】
2016191760.tif 000012
【図９】
2016191760.tif 000013
【図１０】
2016191760.tif 000014
【図１１】
2016191760.tif 000015